(57)【要約】【課題】肌に触れた際の冷やっとする初期の接触冷感を、長い時間まで持続させることができる接触冷感生地を提供すること。【解決手段】本発明の接触冷感生地は、吸水繊維により形成された生地に、接触冷感剤を添加したことを特徴とする。  また、前記接触冷感剤はキシリトールであり、吸水繊維は吸水ポリエステル繊維であることが好ましい。【選択図】なし【特許請求の範囲】
【請求項１】
吸水繊維により形成された生地に、接触冷感剤を添加したことを特徴とする接触冷感生地。
【請求項２】
前記接触冷感剤はキシリトールである請求項１記載の接触冷感生地。
【請求項３】
前記吸水繊維は吸水ポリエステル繊維である請求項１記載の接触冷感生地。
【請求項４】
前記吸水繊維は綿繊維である請求項１記載の接触冷感生地。
【請求項５】
前記吸水繊維は麻繊維である請求項１記載の接触冷感生地。
【請求項６】
前記吸水繊維はレーヨン繊維である請求項１記載の接触冷感生地。
【請求項７】
前記接触冷感剤にバインダーを配合した請求項１乃至６のうちいずれか１項に記載の接触冷感生地。
【発明の詳細な説明】
【技術分野】
【０００１】  本発明は、肌に触れた際の冷やっとする接触冷感を、長時間に亘り持続させることができる接触冷感生地に関する。
【背景技術】
【０００２】  近日、汗などの水分を吸収して、温度を低下させることができる接触冷感繊維が開発されている。かかる繊維は、繊維中の水分を多く含む、熱伝導率が高い、触ったときにやや硬さが感じられる、等の特性を有する繊維にて形成されている。【０００３】  また、表面後加工処理を施すためのコストを削減しながらも、接触冷感を有し、繰り返しの洗濯や摩擦に対する抗菌性の耐久度が優れた接触冷感及び抗菌性を有する生地がある（例えば特許文献１参照）。【０００４】  上掲特許文献１の接触冷感及び抗菌性を有する生地は、抗菌性を有するフィラメント糸を第一フィラメント糸、熱伝導性の高いフィラメント糸を第二フィラメント糸とした場合、親水性繊維からなるスパン糸と前記の第二フィラメント糸とを含む少なくとも二種類以上の糸からなる複合撚糸を用いた生地において、前記の第一フィラメント糸が複合撚糸に含まれていることを特徴とする。
【先行技術文献】
【特許文献】
【０００５】
【特許文献１】特開２００３−２９３２４４号公報（特許請求の範囲等）
【発明の概要】
【発明が解決しようとする課題】
【０００６】  しかしながら、上掲特許文献１の接触冷感及び抗菌性を有する生地は、抗菌性を有するフィラメント糸を第一フィラメント糸、熱伝導性の高いフィラメント糸を第二フィラメント糸とからなることにより、製造コストを抑えながらも、接触冷感に加え、抗菌性の耐久度に優れるという特性を有するが、肌に触れた際の接触冷感を長時間持続させるまでには至らなかった。【０００７】  そこで本発明の目的は上記問題点を解消して、肌に触れた際の冷やっとする初期の接触冷感を、長い時間まで持続させることができる接触冷感生地を提供することにある。
【課題を解決するための手段】
【０００８】  上記課題を解決するために本発明の接触冷感生地は、吸水繊維により形成された生地に接触冷感剤を添加したことを特徴とする。【０００９】  前記接触冷感剤はキシリトールである。【００１０】  前記吸水繊維は吸水ポリエステル繊維である。【００１１】  また、前記吸水繊維は綿繊維でもよい。【００１２】  また、前記吸水繊維は麻繊維でもよい。【００１３】  また、前記吸水繊維はレーヨン繊維でもよい。【００１４】  さらに、前記接触冷感剤にバインダーを配合した。
【発明の効果】
【００１５】  本発明による接触冷感生地は、吸水繊維により形成された生地に、接触冷感剤を添加したことにより、生地における接触冷感と、接触冷感剤による冷感とが相まって、長時間における冷感作用を持続させることができる。【００１６】  また、吸水繊維に吸水ポリエステル繊維を使用することで、丈夫でシワになりにくく、型崩れしない接触冷感生地を形成することができる。
【発明を実施するための形態】
【００１７】  本発明の接触冷感生地は、特に、肌に触れた際の冷やっとする初期の接触冷感を、長い時間まで持続させることを特徴とするものである。
以下に、本発明の接触冷感生地の実施の形態の詳細を説明する。
【００１８】  本発明の接触冷感生地における生地は、触ったときに冷やっとする接触冷感を有するものである。また前記接触冷感生地に使用される繊維は、繊維中に水分を含む、熱伝導率が高い、触ったときにやや硬さが感じられるシャリ感を有する等の特性を有する。かかる素材の繊維にて織成された生地は、着衣した際、人間が発する汗や蒸気を吸収し、衣服内環境の温度を下げることができる。
【００１９】  また特に、本発明の接触冷感生地は、前記生地に接触冷感剤が添加されている。接触冷感剤は、水を溶解する際に熱を奪う性質を有するキシリトールを主成分としている。
【００２０】  キシリトールは、糖アルコールの一種であり、白樺、樫、とうもろこしの芯などから精製される。またキシリトールは、負の水和熱を有することにより、汗などの水分を吸収して温度を低下させる働きを有する。
【００２１】  また、本発明の接触冷感生地に使用される接触冷感剤は、水和時に吸熱反応を有するものであれば、特に限定されるものではなく、前記キシリトールの他に、ソルビトール、グリセロール、エリスリトール、マルチトール、マンニトール、ジベンタエリスリトール等の糖アルコールも用いることができる。
【００２２】  また前記接触冷感剤は、キシリトールと主成分とすることが好ましいが、前記の糖アルコールを主成分と用いることもでき、さらに、キシリトールと前記の糖アルコールを適宜量混合して形成することもできる。
【００２３】  前記接触冷感剤を接触冷感生地に添加することで、肌に触れた際の冷感を高めるとともに、長時間持続させることができる。なお、接触冷感剤を接触冷感の生地に添加する方法は、スプレーによる塗布方法や浸透方法等のさまざまな添加方法が挙げられる。
【００２４】  また特に、本発明の接触冷感生地に使用される繊維は、吸水ポリエステル繊維であることが好ましい。ポリエステル繊維はエステル縮合された合成繊維であり、合成繊維の中でも最も多く生産されるものである。またポリエステル繊維は、シワになりにくい、型崩れしない、非常に強く丈夫である等の優れた特性を有する。
【００２５】  上記ポリエステル繊維の周囲に吸水溝を形成することで、吸水ポリエステル繊維を形成することができる。かかる吸水ポリエステル繊維を、平織、綾織、ニット編、丸編、たて編等の手法により生地状に形成し、前記接触冷感剤を添加させることで、敷設した際、また肌に着衣した際、長時間に亘り人間が発する汗や蒸気を吸収し、衣服内環境の温度を下げることができる。
【００２６】  また、前記吸水繊維は綿繊維でもよい。綿繊維は、肌触りがよく涼感が得られ、熱に強く染色に優れるという特性を有する。綿繊維からなる吸水繊維に接触冷感剤を添加することで、敷設した際、また肌に着衣した際、長時間に亘り人間が発する汗や蒸気を吸収し、衣服内環境の温度を下げることができる。
【００２７】  また、前記吸水繊維は麻繊維でもよい。麻繊維は通気性がよく、水分の吸湿性、発散性に優れるという特性を有する。麻繊維からなる吸水繊維に接触冷感剤を添加することで、敷設した際、また肌に着衣した際、長時間に亘り人間が発する汗や蒸気を吸収し、衣服内環境の温度を下げることができる。
【００２８】  また、前記吸水繊維はレーヨン繊維でもよい。レーヨン繊維は木材の中にあるセルロースを取り出して精製された繊維であり、吸湿性、吸水性がよく、光沢があり染色性に優れるという特性を有する。レーヨン繊維からなる吸水繊維に接触冷感剤を添加することで、敷設した際、また肌に着衣した際、長時間に亘り人間が発する汗や蒸気を吸収し、衣服内環境の温度を下げることができる。
【００２９】  また他の好適冷として、前記接触冷感剤にバインダーを配合することが好ましい。バインダーは、接触冷感剤を繊維表面に強固に付着・固着させるためのものであり、水溶性のアクリル系バインダー、ウレタン系バインダー等の樹脂バインダーが好適に使用される。
【００３０】  前記接触冷感剤にバインダーを配合することにより、複数回の洗濯の耐久性に優れる。そのことにより、繰り返しの使用や経時においても、接触冷感の効果を長時間持続させることができる。
【００３１】  上述の構成により、本発明による接触冷感生地は、吸水繊維により形成された生地に、接触冷感剤を添加したことにより、生地における接触冷感と、接触冷感剤による冷感とが相まって、長時間における冷感作用を持続させることができる。またバインダーを配合させたことで、繰り返しの使用や経時においても、接触冷感の効果を長時間持続させることができる。
【００３２】  なお本発明による接触冷感生地は、タオル、シーツ、布団カバー、敷パット、枕カバー、肌着等、さまざまな用途に使用することができる。